(57)【特許請求の範囲】
【請求項１】
笠木部材の長手方向の継目部から浸入する水の水切りを行うための水切部材であって、
前記水切部材は、前記笠木部材が固定される被固定体に設けられるものであり、
前記水切部材の幅寸法は、
前記被固定体の厚み寸法に応じて、調整可能な構成であり、
前記水切部材は、前記被固定体の上面に付設される面形成部を有し、
前記面形成部は長尺のシート状の部材にて構成され、
切断具により切断されることにより、前記幅寸法が調整され得るものであり、
前記面形成部の下面には、前記被固定体の上面に接着するための接着面が形成される、
水切部材。
【請求項２】
笠木部材の長手方向の継目部から浸入する水の水切りを行うための水切部材であって、
前記水切部材は、前記笠木部材が固定される被固定体に設けられるものであり、
前記水切部材の幅寸法は、
前記被固定体の厚み寸法に応じて、調整可能な構成であって、
前記水切部材は、前記被固定体の上面に付設される面形成部であって、伸縮部を有する面形成部を有する構成としており、
前記伸縮部を伸ばす、或いは、縮めることにより、前記幅寸法が調整され得る、
水切部材。
【請求項３】
笠木部材の長手方向の継目部から浸入する水の水切りを行うための水切部材であって、
前記水切部材は、前記笠木部材が固定される被固定体に設けられるものであり、
前記水切部材の幅寸法は、
前記被固定体の厚み寸法に応じて、調整可能な構成であって、
前記水切部材は、前記被固定体の上面に付設される面形成部であって、分離可能な複数のピース部材にて構成される面形成部を有する構成としており、
前記ピース部材を適宜分離することで、前記幅寸法が調整され得る、
水切部材。
【請求項４】
前記水切部材は、
前記面形成部の上面に形成される少なくとも二つの壁形成部を有しており、
前記壁形成部の間に前記笠木部材の長手方向と交差する方向の排水路が構成される、
ことを特徴とする請求項１乃至３のいずれか一項に記載の水切部材。
【請求項５】
笠木部材の施工方法であって、
前記笠木部材の長手方向の継目部から浸入する水の水切りを行うためのシート状の部材で構成される面形成部を有する水切部材の幅寸法を、
前記笠木部材が固定される被固定体の厚み寸法に応じて調整し、
前記幅寸法が調整された水切部材を前記継目部の下方の位置において、前記被固定体に設置するものであり、
前記面形成部の下面には、前記被固定体の上面に接着するための接着面が形成されており、
前記面形成部を前記被固定体に対して接着により固定する、
笠木部材の施工方法。
【発明の詳細な説明】
【技術分野】
【０００１】
本発明は、バルコニーや建物の屋上などに形成されるパラペットの上縁などに設けられる笠木や手摺に関するものであり、より詳しくは、笠木の継目部の下方に設ける水切り（止水用部材）に関するものである。
【背景技術】
【０００２】
従来、バルコニーや建物の屋上などのパラペット（立ち上がり壁部分）の上縁や、階段の壁部分の上縁などにおいて、下地材に長尺の笠木部材を設ける構成や、この笠木部材の上方に束部材を立ち上げるとともに、束部材の上端部などに手摺部材を設ける構成が知られている（例えば、特許文献１、２参照）。
【０００３】
特許文献１では、笠木の端部間の継目部に設置される笠木取付金具について開示がされている。この笠木取付金具は、下地材、躯体、及び壁体を上から覆う捨水切に対して固定される。また、この笠木取付金具には、上側から笠木が覆いかぶされるとともに、笠木取付金具の係合部に対して笠木の下端段部が係合固定される構成としている。また、この笠木取付金具には、平行して配置される水密材によって排水路を構成し、継目部の下方における水切り（止水）の機能も備える構成としている。
【０００４】
特許文献２では、支柱と笠木受け具との間に笠木を挟み込むようにして固定する構成について開示がされている。この構成では、笠木受け具は、笠木の継目部とは別の箇所に配置されるものであり、継目部における水切りについては開示するものではない。
【先行技術文献】
【特許文献】
【０００５】
【特許文献１】特許第３６３８４４７号明細書
【特許文献２】特許第４５４３９４８号明細書
【発明の概要】
【発明が解決しようとする課題】
【０００６】
ところで、パラペットなどの上縁の断面幅は、建物ごとに異なることが想定される。このため、特許文献１に開示されるような笠木取付金具を使用する場合には、さまざまな上縁の断面幅に対応できるように、多くのバリエーションを用意する必要があった。例えば、メーカー側においては、パラペットの厚み寸法の設計が数十種類想定されるとすると、これに応じて数十種類の寸法の異なる笠木取付金具を設計、製造、ストックすることを強いられていた。
【０００７】
他方、特許文献２のように、笠木の固定について、笠木の継目部とは別の箇所に設置する笠木受け具によって、笠木を固定する構成の場合においては、笠木の継目部の下方に水切りを別途設ける必要がある。この場合、特許文献１に開示される笠木取付金具によって、笠木の継目部の水切りを行うことも考えられるが、上述したように、特許文献１の形態では、寸法の異なる笠木取付金具の設計、製造、ストックが強いられることになる。
【０００８】
そこで、本発明は、以上の問題点に鑑み、バルコニーの上縁などに設けられる笠木部材の継目部において、継目部の下方にて水切りを行うための水切部材について、新規な形態を提案するものであり、パラペットの厚み寸法の設計が異なる場合などにおいても対応可能な汎用性に優れた水切部材を提案するものである。
【課題を解決するための手段】
【０００９】
本発明の解決しようとする課題は以上の如くであり、次にこの課題を解決するための手段を説明する。
【００１０】
即ち、請求項１に記載のごとく、笠木部材の長手方向の継目部から浸入する水の水切りを行うための水切部材であって、前記水切部材は、前記笠木部材が固定される被固定体に設けられるものであり、前記水切部材の幅寸法は、前記被固定体の厚み寸法に応じて、調整可能な構成であり、前記水切部材は、前記被固定体の上面に付設される面形成部を有し、前記面形成部は長尺のシート状の部材にて構成され、切断具により切断されることにより、前記幅寸法が調整され得るものであり、前記面形成部の下面には、前記被固定体の上面に接着するための接着面が形成される、水切部材とする。
【００１１】
また、請求項２に記載のごとく、笠木部材の長手方向の継目部から浸入する水の水切りを行うための水切部材であって、前記水切部材は、前記笠木部材が固定される被固定体に設けられるものであり、前記水切部材の幅寸法は、前記被固定体の厚み寸法に応じて、調整可能な構成であって、前記水切部材は、前記被固定体の上面に付設される面形成部であって、伸縮部を有する面形成部を有する構成としており、前記伸縮部を伸ばす、或いは、縮めることにより、前記幅寸法が調整され得る、水切部材とする。
【００１２】
また、請求項３に記載のごとく、笠木部材の長手方向の継目部から浸入する水の水切りを行うための水切部材であって、前記水切部材は、前記笠木部材が固定される被固定体に設けられるものであり、前記水切部材の幅寸法は、前記被固定体の厚み寸法に応じて、調整可能な構成であって、前記水切部材は、前記被固定体の上面に付設される面形成部であって、分離可能な複数のピース部材にて構成される面形成部を有する構成としており、前記ピース部材を適宜分離することで、前記幅寸法が調整され得る、水切部材とする。
【００１３】
また、請求項４に記載のごとく、前記水切部材は、前記面形成部の上面に形成される少なくとも二つの壁形成部を有しており、前記壁形成部の間に前記笠木部材の長手方向と交差する方向の排水路が構成される、こととする。
【００１５】
また、請求項５に記載のごとく、笠木部材の施工方法であって、前記笠木部材の長手方向の継目部から浸入する水の水切りを行うためのシート状の部材で構成される面形成部を有する水切部材の幅寸法を、前記笠木部材が固定される被固定体の厚み寸法に応じて調整し、前記幅寸法が調整された水切部材を前記継目部の下方の位置において、前記被固定体に設置するものであり、前記面形成部の下面には、前記被固定体の上面に接着するための接着面が形成されており、前記面形成部を前記被固定体に対して接着により固定する、笠木部材の施工方法とする。
【発明の効果】
【００１６】
本発明の効果として、以下に示すような効果を奏する。
【００１７】
即ち、請求項１に記載の発明においては、
被固定体の厚み寸法の設計が異なる場合などにおいても対応可能な汎用性に優れた水切部材を実現することができる。
【００１８】
また、請求項２に記載の発明においては、施工現場において、前記被固定体の厚み寸法に応じて、水切部材の幅寸法を容易に調整することができる。
【００１９】
また、請求項３に記載の発明においては、
施工現場において、前記被固定体の厚み寸法に応じて、水切部材の幅寸法を容易に調整することができる。
【００２０】
また、請求項４に記載の発明においては、笠木部材の継目部から水が下方へと浸入してしまった場合でも、排水路を通じて、被固定体の側方へと水を排水することが可能なり、被固定体の劣化を防ぐことが可能となる。
【００２２】
また、請求項６に記載の発明においては、
施工現場において、前記被固定体の厚み寸法に応じて、水切部材の幅寸法を容易に調整することが可能となり、笠木部材の施工に関連する水切部材の設置について、施工性に優れた構成とすることができる。
【図面の簡単な説明】
【００２３】
【図１】（ａ）は本発明が適用し得るバルコニーの例について示す図。（ｂ）は本発明が適用し得るバルコニーの他の例について示す図。
【図２】水切部材の配置について説明する図。
【図３】水切部材の幅寸法の調整について説明する図。
【図４】（ａ）は水切部材を取り付ける前の状況について示す図。（ｂ）は笠木部材を固定した後の水切部材の状態について示す図。
【図５】コーナー部において水切部材を設ける場合の例について示す図。
【図６】（ａ）は蛇腹構造からなる伸縮部により幅寸法が調整される水切部材の形態について示す図。（ｂ）は折り曲げ分離により幅寸法が調整される水切部材の形態について示す図。
【発明を実施するための形態】
【００２４】
次に、発明の実施の形態について図面を用いて説明する。
図１（ａ）に示す例では、バルコニー１の壁面を構成するパラペット２の上縁部に笠木部材３が設けられており、この笠木部材３から立ち上げられる束部材４・４の上端部に手摺部材５が横架される。笠木部材３は所定の長さを有する長尺の部材であって、継目部６・６において連設されることで、パラペット２の上縁部を連続的に覆うこととしている。なお、笠木部材３は、コーピングとも称されるものである。
【００２５】
また、図１（ｂ）に示す例では、束部材や手摺部材が設けられずに、パラペット２の上縁部に笠木部材３のみが設けられる形態としている。このように、笠木部材３のみが設けられる形態についても、本発明を実施することは可能である。さらに、このほか、建物屋上の壁（パラペット）の上縁部や、屋外階段の壁（パラペット）の上縁部など、さまざまな箇所に本発明は適用可能とするものである。
【００２６】
また、図２は、以上に説明したバルコニーなどに構成されるパラペット２の上縁部の部位について説明するものである。この例のパラペット２の上縁部には、長尺の躯体２１が設けられており、この躯体２１の上面２２には、笠木部材３を固定するための笠木取付部材６０や、水切部材１０が設置される。なお、躯体２１は、笠木取付部材６０、及び、笠木部材３が固定される対象となる被固定体であり、木材や金属などの長尺部材のほか、コンクリート壁などの壁（パラペット）を構成するものが想定され、これらの部材の水による劣化を防ぐことを目的として水切部材１０が設けられるものである。
【００２７】
また、図２に示すごとく、水切部材１０は、笠木部材３・３の継目部６の下方の位置に配置され、継目部６から浸入する水９０がパラペット２の側方へ排水される構成としている。
【００２８】
また、図２に示す水切部材１０の例では、躯体２１の上面２２に付設される面形成部１１と、面形成部１１の上面に形成される少なくとも二つの壁形成部１２・１２と、を有しており、前記壁形成部１２・１２の間に笠木部材３の長手方向と交差する方向の排水路１３が構成されることとしている。
【００２９】
この構成により、図２に示すごとく、笠木部材３・３の継目部６から水９０が下方へと浸入してしまった場合でも、排水路１３を通じて、パラペット２の側方へと水を排水することが可能なり、躯体２１の劣化を防ぐことが可能となる。
【００３０】
なお、図２の例では、笠木部材３・３の継目部６に、ジョイントカバー７が設けられる構成としているが、このジョイントカバー７について、継目部６からの水の浸入を抑制するための止水機能を設ける構成としてもよい。この止水機能（一次止水）を設けた場合であっても、水切部材１０を設けることによって、水切部材１０による二次止水を行うことが可能となる。また、壁形成部１２・１２については、二つ以上であればよく、例えば、三本、四本というように、より多く設けることとし、各壁形成部の間に排水路が形設される構成としてもよい。
【００３１】
そして、図３に示すように、水切部材１０は、その幅寸法Ｗ１が、パラペット２（躯体２１）の厚み寸法Ｗｐに応じて、調整可能な構成としている。図３に示す例では、水切部材１０を長尺の部材にて構成するとともに、ハサミやカッターなどの切断具８を用いることで、水切部材１０の幅寸法Ｗ１を設定することが可能となっている。
【００３２】
そして、このことを可能とするために、面形成部１１については、水が浸透し難いシート状の部材で構成することが考えられ、壁形成部１２・１２については、スポンジゴム、パッキンゴムなどの線状の水密材にて構成することが考えられる。なお、図３の例のほか、例えば、切断具による切断可能な樹脂成型品からなり、面形成部と壁形成部が一体的に形成されるものであってもよい。
【００３３】
また、本明細書において、水切部材１０の幅寸法Ｗ１に対応する方向Ｄ（幅方向）とは、パラペット２の厚み方向（壁の厚み方向、躯体２１の横幅方向）と同じ方向をいうものであり、この方向Ｄにおいて水切部材１０の幅寸法Ｗ１が調整可能となるものである。また、水切部材１０の幅寸法Ｗ１の最小値は、パラペット（躯体２１）の上面２２を覆うことができるように、少なくともパラペットの厚み寸法Ｗｐよりも大きく構成されることが好ましい。また、水切部材１０の幅寸法Ｗ１は、笠木部材によって覆い隠すことができる大きさに抑えることが好ましい。
【００３４】
このような構成により、施工現場において、パラペットの厚み寸法Ｗｐに応じて、適宜、水切部材１０の幅寸法Ｗ１を設定することが可能となり、汎用性が確保された水切部材１０を実現することができる。また、これにより、水切部材１０について、寸法の異なるものを設計、製造、ストックする必要を無くすことができる。
【００３５】
また、図４（ａ）（ｂ）に示すごとく、水切部材１０について、面形成部１１の下面に接着面１４を設けることによって、躯体２１の上面２２に対して水切部材１０を容易に取り付けることが可能となる。また、壁形成部１２については、弾性変形可能なスポンジゴムにて構成することにより、笠木部材３が笠木取付部材６０（図２参照）に対して固定された状態において、壁形成部１２を圧縮させるとともに、躯体２１の上面２２と、笠木部材３の裏側天面３ａの間の空間を密閉することが可能となる。
【００３６】
これにより、図４（ａ）（ｂ）に示すごとく、壁形成部１２と裏側天面３ａの境界部９には隙間が形成されなくなり、境界部９からの漏水を防ぐことが可能となる。また、裏側天面３ａと、壁形成部１２と、面形成部１１にて囲まれた排水路１３を構成することが可能となるため、躯体２１（パラペット２）の側方へと水９０を排水することが可能となる。また、壁形成部１２について笠木部材３の突条部３３・３４が圧入されることで、水切部材１０が強固に固定されることになる。なお、この突条部３３・３４は、笠木取付部材６０（図２）に対して係合され、笠木部材３を笠木取付部材６０に対して固定するためのものである。
【００３７】
さらに、図５に示すごとく、パラペット２における出隅部及び入隅部などのコーナー部２３においても、図３に示す構成の水切部材１０Ａを使用することができる。即ち、図５に示すごとく、コーナー部２３におけるパラペット２の厚み寸法Ｗｐに応じて、水切部材１０Ａの幅寸法Ｗ１を設定するものである。また、水切部材１０Ａの両端部においては、コーナー部２３の平面視における輪郭形状に沿う様に、水切部材１０Ａの両端部をそれぞれ切断する（略Ｌ字状にする）ことにより、笠木部材３・３の下方（裏側）に、水切部材１０Ａを納めることが可能となる。
【００３８】
また、以上に説明したように、本発明に係る水切部材については、パラペットの厚み寸法に応じて水切部材の幅寸法が調整可能な点を特徴とするものであるが、図３、図５で示される水切部材１０・１０Ａの他の形態も考えられる。
【００３９】
即ち、例えば、図６（ａ）の水切部材１０Ｂに示すごとく、板状の面形成部１１Ｂについて、幅方向中途部に蛇腹構造からなる伸縮部１５を設けることにより、この伸縮部１５によって、幅寸法Ｗ２を調整可能とするものである。なお、壁形成部１２Ｂ・１２Ｂについては、図３の水切部材１０と同様のものを使用することが可能である。
【００４０】
また、図６（ｂ）の水切部材１０Ｃに示すごとく、面形成部１１Ｃについて、幅寸法Ｗ３が調整可能となるように、分離可能な複数のピース部材１１ｐにて構成することも考えられる。この形態では、板状の面形成部１１Ｃに略Ｖ字状の溝部１１ｖ・１１ｖを形成することにより、面形成部１１Ｃの一部のピース部材１１ｐを折り曲げて分離することができるようになっている。なお、壁形成部１２Ｃ・１２Ｃについては、図３の水切部材１０と同様のものを使用することが可能である。
【００４１】
以上のように、図６（ａ）（ｂ）に示されるような他の形態によっても、図３に示される形態と同様に、本発明の課題を解決することができる。なお、図６（ａ）（ｂ）における面形成部１１Ｂ・１１Ｃについては、樹脂成形品で構成することが考えられる。また、これら図６（ａ）（ｂ）の形態においても、面形成部１１Ｂ・１１Ｃにおける幅方向の端部をコーナー部２３の平面視における輪郭形状に沿う様に（この例ではＬ字状）とすることによれば、コーナー部２３への適用も可能である。
【００４２】
以上のようにして本発明を実施することが可能となる。
即ち、図２及び図３に示すごとく、
笠木部材３・３の長手方向の継目部６から浸入する水の水切りを行うための水切部材１０であって、
前記水切部材１０は、前記笠木部材３が固定される躯体２１（パラペット２）などの被固定体に設けられるものであり、
前記水切部材１０の幅寸法Ｗ１は、
前記被固定体（パラペット２）の厚み寸法Ｗｐに応じて、調整可能な構成とする、
こととするものである。
【００４３】
これにより、被固定体の厚み寸法の設計が異なる場合などにおいても対応可能な汎用性に優れた水切部材を実現することができる。
【００４４】
また、図２に示すごとく、
前記水切部材１０は、
前記被固定体としての躯体２１の上面２２に付設される面形成部１１と、
前記面形成部１１の上面に形成される少なくとも二つの壁形成部１２・１２と、を有しており、
壁形成部１２・１２の間に前記笠木部材３の長手方向と交差する方向の排水路１３が構成される、
こととするものである。
【００４５】
これにより、笠木部材３・３の継目部６から水９０が下方へと浸入してしまった場合でも、排水路１３を通じて、被固定体（躯体２１、パラペット２）の側方へと水を排水することが可能なり、被固定体の劣化を防ぐことが可能となる。
【００４６】
また、図３に示すごとく、
前記水切部材１０は、長尺の部材にて構成されるとともに、
切断具８により切断されることにより、前記幅寸法Ｗ１が調整され得る、
こととするものである。
【００４７】
これにより、施工現場において、前記被固定体（パラペット２）の厚み寸法Ｗｐに応じて、水切部材１０の幅寸法Ｗ１を容易に調整することができる。
【００４８】
また、図６（ａ）に示すごとく、
前記水切部材１０Ｂは、伸縮部１５を有する面形成部１１Ｂを有する構成としており、
前記伸縮部１５を伸ばす、或いは、縮めることにより、前記幅寸法Ｗ２が調整され得る、
こととするものである。
【００４９】
これにより、施工現場において、前記被固定体（パラペット２）の厚み寸法Ｗｐに応じて、水切部材１０Ｂの幅寸法Ｗ２を容易に調整することができる。
【００５０】
また、図６（ｂ）に示すごとく、
前記水切部材１０Ｃは、分離可能な複数のピース部材１１ｐ・１１ｐにて構成され、
前記ピース部材１１ｐを適宜分離することで、前記幅寸法Ｗ２が調整され得る、
こととするものである。
【００５１】
これにより、施工現場において、前記被固定体（パラペット２）の厚み寸法Ｗｐに応じて、水切部材１０Ｃの幅寸法Ｗ３を容易に調整することができる。
【００５２】
図２及び図３に示すごとく、
笠木部材３・３の施工方法であって、
前記笠木部材３・３の長手方向の継目部６から浸入する水の水切りを行うための水切部材１０について、
前記水切部材１０の幅寸法Ｗ１を、
前記笠木部材３が固定される躯体２１（パラペット２）などの被固定体（パラペット２）の厚み寸法Ｗｐに応じて調整し、
前記幅寸法Ｗ１が調整された水切部材１０を前記継目部６の下方の位置において、前記被固定体に設置する、
こととするものである。
【００５３】
これにより、施工現場において、前記被固定体（パラペット２）の厚み寸法Ｗｐに応じて、水切部材１０の幅寸法Ｗ１を容易に調整することが可能となり、笠木部材３の施工に関連する水切部材１０の設置について、施工性に優れた構成とすることができる。
【産業上の利用可能性】
【００５４】
本発明の構成のバルコニーは、戸建住宅のほか、集合住宅や施設建物などにも広く適用され得るものである。
【符号の説明】
【００５５】
１    バルコニー
２    パラペット
３    笠木部材
４    束部材
５    手摺部材
６    継目部
７    ジョイントカバー
８    切断具
９    境界部
１０    水切部材
１１    面形成部
１１ａ    上面
１２    壁形成部
１３    排水路
１４    接着面
１５    伸縮部
２１    躯体
２２    上面
２３    コーナー部
Ｗ１    幅寸法
Ｗｐ    厚み寸法
９０    水  
【図１】
0005686407.tif 000002
【図２】
0005686407.tif 000003
【図３】
0005686407.tif 000004
【図４】
0005686407.tif 000005
【図５】
0005686407.tif 000006
【図６】
0005686407.tif 000007